【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
第１波長領域の光に対して偏光分離特性を持つ第１偏光分離面と、
第２及び第３波長領域の光に対して偏光分離特性を持つ第２偏光分離面とを備える色分解合成光学系であって、
前記第１偏光分離面が、前記第１波長領域の照明光を第１液晶表示素子に導くと共に、前記第１液晶表示素子で反射された画像光を前記照明光とは異なる方向に導いており、
前記第２偏光分離面が、前記第２波長領域の照明光と前記第３波長領域の照明光を分解しつつそれぞれを第２液晶表示素子と第３液晶表示素子に導くと共に、前記第２液晶表示素子で反射された画像光と前記第３液晶表示素子で反射された画像光とを合成して前記第１偏光分離面に導いており、
前記第１偏光分離面によって、前記第１液晶表示素子で反射された画像光と、前記第２偏光分離面で合成された前記第２及び第３液晶表示素子で反射された画像光とを合成し、
前記第２偏光分離面は、前記第２波長領域の光に対しては、Ｓ偏光光を透過しＰ偏光光を反射し、前記第３波長領域の光に対しては、Ｓ偏光光を反射しＰ偏光光を透過する特性
を有することを特徴とする色分解合成光学系。
【請求項２】
前記第１偏光分離面よりも光源側に配置され、前記第１波長領域の光に対して偏光板として機能する第１入射側偏光板と、
前記第２偏光分離面よりも光源側に配置され、前記第２波長領域の光及び前記第３波長領域の光に対して偏光板として機能する第２入射側偏光板とを備えることを特徴とする請
求項１に記載の色分解合成光学系。
【請求項３】
前記第１偏光分離面と前記第２偏光分離面との間に、前記第２波長領域及び前記第３波長領域のうち少なくとも一方の波長領域の光に対して偏光板として機能する出射側偏光板
を備えることを特徴とする請求項１又は２に記載の色分解合成光学系。
【請求項４】
前記第１偏光分離面が、前記第１、２及び３波長領域の全ての光に対して、第１直線偏光光を透過し、前記第１直線偏光光と偏光方向が直交する第２直線偏光光を反射する特性
を有しており、
前記第１偏光分離面と前記第２偏光分離面との間に１／２波長板を備えることを特徴とする請求項１乃至３いずれかに記載の色分解合成光学系。
【請求項５】
前記第１偏光分離面に入射する前記第１波長領域の光の偏光方向と、前記第２偏光分離面に入射する前記第２波長領域の光の偏光方向と、前記第２偏光分離面に入射する前記第３波長領域の光の偏光方向とが同じであることを特徴とする請求項１乃至４いずれか記載の色分解合成光学系。
【請求項６】
前記第２偏光分離面に入射する前記第２波長領域の光の偏光方向と前記第３波長領域の光の偏光方向とが直交しており、
前記第２偏光分離面が、前記第２波長領域の光及び前記第３波長領域の光に対して、第１直線偏光光を透過し、前記第１直線偏光光と偏光方向が直交する第２直線偏光光を反射する特性を有しており、
前記第１偏光分離面と前記第２偏光分離面との間に、前記第２波長領域の光に対して偏光板として偏光板として機能し、前記第３波長領域の光は全て透過する偏光板を備えており、
前記第１偏光分離面が、前記第１波長領域の光と前記第３波長領域の光に対しては偏光分離機能を持ち、前記第２波長領域の光に対しては全て反射或いは全て透過する特性を有することを特徴とする請求項１又は２に記載の色分解合成光学系。
【請求項７】
第１、２および３液晶表示素子と、
前記第１、２および３液晶表示素子からの画像光を投影する投影光学系と、
光源からの光を前記第１、２、３液晶表示素子に導くと共に、前記第１、２および３液晶表示素子からの画像光を前記投影光学系に導く色分解合成光学系とを備える画像投影装置であって、
前記色分解合成光学系が、
第１波長領域の光に対して偏光分離特性を持つ第１偏光分離面と、
第２及び第３波長領域の光に対して偏光分離特性を持つ第２偏光分離面とを有しており、
前記第１偏光分離面が、前記第１波長領域の照明光を第１液晶表示素子に導くと共に、前記第１液晶表示素子で反射された画像光を前記投影光学系に導いており、
前記第２偏光分離面が、前記第２波長領域の照明光と前記第３波長領域の照明光を分解しつつそれぞれを第２液晶表示素子と第３液晶表示素子に導くと共に、前記第２液晶表示素子で反射された画像光と前記第３液晶表示素子で反射された画像光とを合成して前記第１偏光分離面に導いており、
前記第１偏光分離面によって、前記第１液晶表示素子で反射された画像光と、前記第２偏光分離面で合成された前記第２及び第３液晶表示素子で反射された画像光とを合成して前記投影光学系に導き、
前記第２偏光分離面は、前記第２波長領域の光に対しては、Ｓ偏光光を透過しＰ偏光光を反射し、前記第３波長領域の光に対しては、Ｓ偏光光を反射しＰ偏光光を透過する特性
を有することを特徴とする画像投影装置。
【請求項８】
前記第１波長領域の光を発する第１光源と、前記第２及び第３波長領域の光を発する第２光源とを備えており、
前記第１光源からの照明光で前記第１液晶表示素子を照明し、
前記第２光源からの照明光で前記第２、３液晶表示素子を照明することを特徴とする請求項７記載の画像投影装置。
【手続補正２】
【補正対象書類名】明細書
【補正対象項目名】０００６
【補正方法】変更
【補正の内容】
【０００６】
本発明の色分解合成光学系は、第１波長領域の光に対して偏光分離特性を持つ第１偏光分離面と、第２及び第３波長領域の光に対して偏光分離特性を持つ第２偏光分離面とを備える色分解合成光学系であって、前記第１偏光分離面が、前記第１波長領域の照明光を第１液晶表示素子に導くと共に、前記第１液晶表示素子で反射された画像光を前記照明光とは異なる方向に導いており、前記第２偏光分離面が、前記第２波長領域の照明光と前記第３波長領域の照明光を分解しつつそれぞれを第２液晶表示素子と第３液晶表示素子に導くと共に、前記第２液晶表示素子で反射された画像光と前記第３液晶表示素子で反射された画像光とを合成して前記第１偏光分離面に導いており、前記第１偏光分離面によって、前記第１液晶表示素子で反射された画像光と、前記第２偏光分離面で合成された前記第２及び第３液晶表示素子で反射された画像光とを合成し、前記第２偏光分離面は、前記第２波長領域の光に対しては、Ｓ偏光光を透過しＰ偏光光を反射し、前記第３波長領域の光に対しては、Ｓ偏光光を反射しＰ偏光光を透過する特性を有することを特徴としている。
【手続補正３】
【補正対象書類名】明細書
【補正対象項目名】０００７
【補正方法】変更
【補正の内容】
【０００７】
第１、２および３液晶表示素子と、前記第１、２および３液晶表示素子からの画像光を投影する投影光学系と、光源からの光を前記第１、２、３液晶表示素子に導くと共に、前記第１、２および３液晶表示素子からの画像光を前記投影光学系に導く色分解合成光学系とを備える画像投影装置であって、前記色分解合成光学系が、第１波長領域の光に対して偏光分離特性を持つ第１偏光分離面と、第２及び第３波長領域の光に対して偏光分離特性を持つ第２偏光分離面とを有しており、前記第１偏光分離面が、前記第１波長領域の照明光を第１液晶表示素子に導くと共に、前記第１液晶表示素子で反射された画像光を前記投影光学系に導いており、前記第２偏光分離面が、前記第２波長領域の照明光と前記第３波長領域の照明光を分解しつつそれぞれを第２液晶表示素子と第３液晶表示素子に導くと共に、前記第２液晶表示素子で反射された画像光と前記第３液晶表示素子で反射された画像光とを合成して前記第１偏光分離面に導いており、前記第１偏光分離面によって、前記第１液晶表示素子で反射された画像光と、前記第２偏光分離面で合成された前記第２及び第３液晶表示素子で反射された画像光とを合成して前記投影光学系に導き、前記第２偏光分離面は、前記第２波長領域の光に対しては、Ｓ偏光光を透過しＰ偏光光を反射し、前記第３波長領域の光に対しては、Ｓ偏光光を反射しＰ偏光光を透過する特性を有することを特徴としている。